(57)【特許請求の範囲】
【請求項１】
ワンタッチナンバーや短縮ナンバー等によって指示される宛先に発呼する通信手順を実行する自動発呼機能を有するファクシミリ装置において、
前記発呼の通信手順に際して宛先端末から送信される所定の端末識別情報を表示する表示手段と、
該発呼の通信手順に際して当該宛先端末への画情報の送信開始許可を指示する送信許可指示手段とを設け、
発呼の通信手順に際して宛先電話番号情報と宛先端末から送信される所定の端末識別情報を表示して発呼先の確認を促すとともに、送信許可が指示されるまで当該宛先端末への画情報の送信を行わないファクシミリ装置であって、
前記ワンタッチナンバーや短縮ナンバーによって指示される宛先に発呼する通信手順に際して、発呼先の確認後に送信許可が指示された通信履歴データを記憶する通信履歴データ記憶手段と、
該通信履歴データを前記ワンタッチナンバーや短縮ナンバーが変更されるまで保持し、通信履歴データが記憶されたワンタッチナンバーや短縮ナンバーを使って発呼した場合は、送信許可を得ることなく送信手順を実行する自動送信手段とを設け、
１度発呼先を確認した後に送信許可を指示したことのあるワンタッチナンバーや短縮ナンバーを使って送信する場合は送信許可を不要とすることを特徴とするファクシミリ装置。
【発明の詳細な説明】
【０００１】
【産業上の利用分野】
本発明はファクシミリ装置に関し、詳細には、自動発呼機能を有するファクシミリ装置に関する。
【０００２】
【従来の技術】
従来のファクシミリ装置では、ワンタッチナンバーや短縮ナンバーに対応させて送信宛先の電話番号を登録し、登録したワンタッチナンバーや短縮ナンバーを指示するだけで指示された宛先に自動発呼する自動発呼機能を備えたものが多く普及しており、発呼操作を簡略化して操作性を向上させている。
【０００３】
しかしながら、このようなファクシミリ装置にあっては、間違って電話番号を登録した場合、その電話番号にファクシミリ装置が接続されている限り、間違った宛先に原稿が送信されてしまうという問題が発生している。
この問題の対策として従来は、例えば、何度か発呼しても宛先端末からの応答トーンが検出できなかったとき、電話番号確認の警告を発してユーザーに登録内容の確認を促すものがある（特開平１−２２７５６５号公報参照）。
【０００４】
また、自動発呼時だけでなく、通常の電話番号の直接入力による発呼に際しても間違った電話番号が入力された場合、その電話番号にファクシミリ装置が接続されている限り、間違った宛先に原稿が送信されてしまという同様の問題が発生する。この場合の対策としては、例えば、ファクシミリ装置の閉域接続等があり、この閉域接続では、あらかじめ送信側と受信側の双方のファクシミリ装置に何らかの設定を行っておき、この設定によって交信の際に相互に端末を確認して誤送信を防止する方法である。
【０００５】
【発明が解決しようとする課題】
しかしながら、このような従来の自動発呼に際して電話番号確認の警告を発するファクシミリ装置にあっては、その警告機能がワンタッチナンバーや短縮ナンバーで登録された宛先にしか対応することができないという問題と、間違った電話番号にファクシミリ装置が接続されていれば、警告を発することなく送信処理が行われて送信されてしまうという問題があった。
【０００６】
また、ファクシミリ装置の閉域接続では、あらかじめ設定を行うために手間がかかるという問題と、送信側と受信側のファクシミリ装置が同一メーカーでなければ相互確認ができないという制約があった。
さらに、ファクシミリ通信手順において、受信端末から送信端末に送信されるＣＳＩ信号（被呼端末識別信号）を利用して相互に端末を自動確認するファクシミリ装置もあるが、ＣＳＩ信号に登録される電話番号情報の内容がメーカーによって異なるため、単純にＣＳＩ信号を比較することができない。例えば、国コードと市外局番の最初の“０”を取って登録するようにしているメーカーと、通常の電話番号通りに登録するようにしているメーカーがあるため、ＣＳＩ信号を利用した端末の自動相互確認は困難である。
【０００７】
また、登録された電話番号を利用する場合、東京０３区域では平成３年から局番が３桁から４桁に変更されたため、東京０３区域に設置されたファクシミリ装置の登録内容が変更されているかどうかを発呼時に確認することができないと、すなわち、ＣＳＩ信号の登録内容が変更されていることが確認できないと、そのファクシミリ装置に対しては、全く送信できないことになる。
【０００８】
また、ワンタッチナンバーや短縮ナンバーを使って送信した場合は、送信が正常に行われるか、再発呼回数がオーバーしたり、またはその他の要因によって送信が中断すると、ユーザーによる送信許可の事実が記憶されないままとなる。このため、次に同じワンタッチナンバーや短縮ナンバーを使用する場合でも、相手先確認機能がオンになっていれば、使用者は何度も送信許可を出さなければならなかった。
【０００９】
そこで、本願各発明は、発呼の通信手順に際して、宛先端末から送信される端末識別情報を表示して発呼先の確認を促すとともに、送信許可が指示されるまで画情報の送信を行わないことにより、発呼先を確認した上で送信処理を実行できるようにし、一度送信許可が指示された場合は、その事実を記憶して次回以降の送信では送信許可を仰ぐことなく送信するようにして、ファクシミリ装置の操作性及び信頼性を向上させることを目的としている
【００１１】
本発明は、ワンタッチナンバーや短縮ナンバー等によって指示される宛先に発呼する通信手順を実行する自動発呼機能を有するファクシミリ装置において、前記発呼の通信手順に際して宛先端末から送信される所定の端末識別情報を表示する表示手段と、該発呼の通信手順に際して当該宛先端末への画情報の送信開始許可を指示する送信許可指示手段とを設け、発呼の通信手順に際して宛先電話番号情報と宛先端末から送信される所定の端末識別情報を表示して発呼先の確認を促すとともに、送信許可が指示されるまで当該宛先端末への画情報の送信を行わないファクシミリ装置であって、前記ワンタッチナンバーや短縮ナンバーによって指示される宛先に発呼する通信手順に際して、発呼先の確認後に送信許可が指示された通信履歴データを記憶する通信履歴データ記憶手段と、該通信履歴データを前記ワンタッチナンバーや短縮ナンバーが変更されるまで保持し、通信履歴データが記憶されたワンタッチナンバーや短縮ナンバーを使って発呼した場合は、送信許可を得ることなく送信手順を実行する自動送信手段とを設け、１度発呼先を確認した後に送信許可を指示したことのあるワンタッチナンバーや短縮ナンバーを使って送信する場合は送信許可を不要とすることを特徴とするファクシミリ装置である。
参考として、テンキー等によって直接宛先電話番号が入力されると、該入力された宛先に発呼する通信手順を実行する自動発呼機能と、前記発呼の通信手順に際して宛先端末から前記通信手順に基づいて送信される所定の標準端末識別情報を表示する表示手段と、該発呼の通信手順に際して当該宛先端末への画情報の送信開始許可を指示する送信許可指示手段とを設け、発呼に際して宛先端末から送信される所定の端末識別情報を表示して発呼先の確認を促すとともに、送信許可が指示されるまで当該宛先端末への画情報の送信を行わないファクシミリ装置であって、前記ワンタッチナンバーや短縮ナンバーによって指示される宛先に発呼する通信手順に際して、発呼先の確認後に送信許可が指示された通信履歴データを記憶する通信履歴データ記憶手段と、該通信履歴データを前記ワンタッチナンバーや短縮ナンバーが変更されるまで保持し、通信履歴データが記憶されたワンタッチナンバーや短縮ナンバーを使って発呼した場合は、送信許可を得ることなく送信手順を実行する自動送信手段とを設け、１度発呼先を確認した後に送信許可を指示したことのあるワンタッチナンバーや短縮ナンバーを使って送信する場合は送信許可を不要とすることを特徴とするファクシミリ装置である。
また、参考として、ワンタッチナンバーや短縮ナンバー等に対応させて宛先名称や宛先電話番号等の宛先情報を記憶するメモリと、これらワンタッチナンバーや短縮ナンバー等を入力する操作部と、操作部から入力された内容等を表示する表示部と、送信時、ワンタッチナンバーや短縮ナンバー等が入力されると、メモリを検索して該ナンバーの宛先に発呼する通信手順を実行する自動発呼機能と、前記発呼の通信手順に際して宛先端末から端末識別情報として送信される所定の非標準コード情報を解析して前記表示部に表示する表示手段と、該発呼の通信手順に際して当該宛先への画情報の送信開始許可を指示する送信許可指示手段とを設け、前記発呼の通信手順に際して、宛先名称と、宛先端末から端末識別情報として送信される所定の解析可能な非標準コード情報とが前記メモリに記憶されていれば、非標準コード情報を解析して表示するとともに、前記ワンタッチナンバーや短縮ナンバーに登録された宛先情報を表示して発呼先の確認を促し、送信許可が指示されるまで当該宛先への画情報の送信を行わないファクシミリ装置であって、前記ワンタッチナンバーや短縮ナンバーによって指示される宛先に発呼する通信手順に際して、発呼先の確認後に送信許可が指示された通信履歴データを記憶する通信履歴データ記憶手段と、該通信履歴データを前記ワンタッチナンバーや短縮ナンバーが変更されるまで保持し、通信履歴データが記憶されたワンタッチナンバーや短縮ナンバーを使って発呼した場合は、送信許可を得ることなく送信手順を実行する自動送信手段とを設け、１度発呼先を確認した後に送信許可を指示したことのあるワンタッチナンバーや短縮ナンバーを使って送信する場合は送信許可を不要とすることを特徴とするファクシミリ装置である。
【００１７】
本発明では、登録された宛先電話番号が間違っていても発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、本発明では、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
参考として、直接入力された宛先電話番号が間違っていても発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、参考として、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
さらに、参考として、登録された宛先名称と宛先端末から送信される端末識別情報が一致しなくても違いを発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、参考として、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
【００１８】
【実施例】
以下、本発明を実施例に基づいて具体的に説明する。
図１〜図４は、本発明を適用したファクシミリ装置の一実施例を示す図である。
図１は、ファクシミリ装置１のブロック図であり、ファクシミリ装置１は、ＣＰＵ２、ＲＯＭ３、ＲＡＭ４、操作部５、スキャナ６、プロッタ７、モデム８及びＮＣＵ９等から構成されている。
【００１９】
ＣＰＵ（Ｃｅｎｔｒａｌ  Ｐｒｏｃｅｓｓｉｎｇ  Ｕｎｉｔ）２は、ＲＯＭ３内のプログラムに従ってファクシミリ装置１の各部を制御して、ファクシミリ装置１としてのシーケンスを実行するとともに、本願各発明の通信処理及び相手先端末情報表示処理を実行する。
ＲＯＭ（Ｒｅａｄ  Ｏｎｌｙ  Ｍｅｍｏｒｙ）３は、ファクシミリ装置１としての基本プログラムや本願各発明の通信処理及び相手先端末情報表示処理のプログラム等を格納している。
【００２０】
ＲＡＭ（Ｒａｎｄｏｍ  Ａｃｃｅｓｓ  Ｍｅｍｏｒｙ）４は、ＣＰＵ２がファクシミリ装置１としてのシーケンスを実行する際に必要となる種々のデータ及びワンタッチナンバーや短縮ナンバーで登録される宛先端末情報（電話番号、宛先名称等）が格納されるメモリエリアを有する。また、このメモリエリアには、以前にワンタッチナンバーや短縮ナンバーを使って発呼した際に、送信許可が与えられたという通信履歴データや、受信したＣＳＩあるいはＮＳＦ（ＣＳＩ）が一時的に記憶される。
【００２１】
操作部（表示手段、送信許可指示手段、選択手段、送信開始指示手段）５は、テンキーやスタートキー等の各種操作キーやＬＣＤまたはその他の表示器からなるディスプレイおよびドライバとからなり、操作キーにより送信操作や受信操作及び宛先端末のワンタッチキーや短縮キー等の各種入力操作が行われるとともに、ディスプレイには、操作キーから入力された電話番号や相手先名を表示したり、各種コマンドやファクシミリ装置からオペレータに伝達する各種情報、特に、本願各発明の発呼時に宛先端末から受信するＣＳＩやＮＳＦ（ＣＳＩ）などの端末識別情報、あるいは送信開始許可が指示されない場合は、その旨を知らせるメッセージが表示される。また、操作部５には、発呼時に送信開始許可を指示する指示キーと、発呼時に発呼先の端末識別情報を表示させるかどうかを選択する選択キーと、端末識別情報を確認した後に送信開始を指示する開始指示キーと、再発呼を指示する再発呼指示キー等が設けられている。
【００２２】
スキャナ６としては、例えば、ＣＣＤ（Ｃｈａｒｇｅ  Ｃｏｕｐｌｅｄ  Ｄｅｖｉｃｅ）を利用したイメージスキャナが利用されており、スキャナ６は原稿を走査して原稿の画情報を読み取る。
プロッタ７としては、受信した画情報を所定の解像度でプリントアウトするものであり、例えば、サーマル素子を利用したサーマル記録装置などを使用した場合は感熱記録紙に直接記録され、あるいは、普通記録紙の場合はインクシートを介して間接的に画像が記録される。また、プロッタ７は、後述する本願各発明の通信処理に際して送信開始許可が入力されない場合、所定の通知レポートをプリントアウトする。さらに、プロッタ７は、送信許可が出されないまま回線断となった場合、使用者にこの事実を知らせるためのレポートもプリントアウトする。このように、プロッタ７は、通知手段としての機能も有する。
【００２３】
モデム８は、送信信号の変調を行い、また、受信信号の復調を行う。
ＮＣＵ９は、外部の回線に接続されており、回線を介して相手ファクシミリ装置との間でファクシミリ制御信号を交換し、ファクシミリ通信手順を実行する。
次に、作用を説明する。
本実施例では、発呼の通信手順に際して発呼した宛先端末から送信される端末識別情報を表示してユーザーに発呼先の確認を促すとともに、発呼した宛先への送信開始許可が指示されるまで画情報の送信を行わない通信処理を実行するところにその特徴がある。以下、この通信処理について図２〜図４に示すフローチャートを参照して説明する。なお、図２〜図４に示すフローチャートでは、ユーザーがファクシミリ装置１に送信原稿をセットして操作を開始するところから、原稿を取り出して送信をキャンセルしたり、送信が成功して回線を切断するまでの過程を示しており、通信エラーが発生した場合等の処理は省略している。
【００２４】
図２において、まず、ファクシミリ装置１のユーザーは、操作部５で相手先確認機能の選択を行い（ステップＳ１）、すなわち、発呼後に宛先端末から送信される端末識別情報を表示する機能が選択されると、操作部５でＬＥＤ点灯等によって相手先確認機能が選択されたことが表示される。次いで、操作部５で相手先入力を行うが、入力方法としては、テンキーにより直接電話番号を入力する場合と、登録されたワンタッチキーあるいは短縮キーにより入力する場合がある（ステップＳ２）。この相手先入力により、操作部５のディスプレイ上には、テンキー、ワンタッチキーあるいは短縮キーにより入力された電話番号が表示される。相手先が入力されてスタートキー等で送信開始が指示されると、ＮＣＵ９が外部に接続された回線を閉結して発呼の通信手順を開始し（ステップＳ３）、発呼した相手先端末からの応答を待つタイマーをチェックしながら相手先端末からのＣＥＤ信号（被呼局識別信号）とＣＥＤ信号に続くＤＩＳ信号（ディジタル識別信号）、ＣＳＩ信号（被呼端末識別信号）、ＮＳＦ信号（非標準機能識別信号）の受信を待つ（ステップＳ４、Ｓ５）。
【００２５】
なお、ステップＳ４におけるタイマーとは、ＣＣＩＴＴ（国際電信電話諮問委員会）勧告のＴ．３０に基づくＴ１タイム（３５±５ＳＥＣ）のことである。
次いで、これらの応答を受信すると、受信したＣＳＩ信号で示される被呼端末識別コードと入力された電話番号または相手先名を必要に応じて操作部５のディスプレイに表示してユーザーに発呼先の確認を促し（ステップＳ６）、操作部５上の操作によって相手先確認機能がオンされているかどうかをチェックする（ステップＳ７）。
【００２６】
そこで、相手先確認機能がオンされていないときは、セットされた原稿の画情報を読み取って当該相手先への送信処理を行った後、回線を切断して今回の処理を終了する（ステップＳ８、Ｓ９）。
また、相手先確認機能がオンされているときは、相手先確認指示が入力されるのを待つタイマーをセットして待ち時間をチェックするとともに（ステップＳ１０）、ＤＣＮ信号（切断命令信号）の受信と受信送信開始許可の入力を待つ（ステップＳ１１、Ｓ１２）。このタイマーは、上記ステップＳ４と同じものである。
【００２７】
タイマーがオーバーする前に、ＤＣＮ信号（切断命令信号）を受信したときは、図３の処理に移って回線切断処理を実行し（ステップＳ１３）、送信開始許可が入力されたときは、セットされた原稿の画情報を読み取って当該相手先への送信処理を行った後、回線を切断して今回の処理を終了する（ステップＳ８、Ｓ９）。一方、ステップＳ４、Ｓ１０でタイマーがオーバーしたときも回線切断処理を実行し（ステップＳ１３）、相手先確認機能がオンで送信開始許可が入力されていないときは（ステップＳ１４、Ｓ１５）、入力された電話番号か相手先名と、ＣＳＩ信号またはＮＳＦ信号を受信したときは、受信した内容を解析してレポートとしてプリントアウトする（ステップＳ１６）。
【００２８】
次いで、送信原稿が取り出されて送信がキャンセルされるかどうかをチェックするとともに（ステップＳ１７）、あらためて送信開始許可が入力されるのを待つ（ステップＳ１８）。原稿が取り出されたときは、直ちに今回の処理を終了し、原稿が取り出されずに送信許可が入力されたときは、再度、相手先に発呼して通常の送信処理を実行して処理を終了する（ステップＳ１９〜Ｓ２３）。
【００２９】
操作部５からあらためて送信開始許可を入力する方法としては、送信開始許可キーを用いてもよいし、別に、ワンタッチキー等で送信開始を指示するようにしてもよい。この場合、ユーザーの送信操作手順を簡略化することができる。
一方、ステップＳ１５で送信許可済みであるときは、再発呼回数がオーバーしていないかどうかと、送信原稿が取り出されて送信がキャンセルされるかどうかをチェックし（ステップＳ２４、Ｓ２５）、再発呼回数がオーバーしているとき、あるいは、原稿が取り出されたときは、直ちに今回の処理を終了する。再発呼回数がオーバーしていないときは、あるいは、原稿が取り出されないときは、通常の再発呼処理を実行して今回の処理を終了する（ステップＳ２７、Ｓ２１〜Ｓ２３）。
【００３０】
図４に、上記ステップＳ６における相手先表示処理のフローチャートを示して説明する。
相手先表示に際して、まず、上記ステップＳ２における相手先入力方法としてテンキーの直接電話番号入力による発呼かチェックし（ステップＴ１）、テンキー入力のときは、入力された電話番号を操作部５のディスプレイに表示する（ステップＴ２）。次いで、相手先端末から受信した応答がＣＳＩ信号かどうかをチェックし（ステップＴ３）、ＣＳＩ信号でないときは、処理を中止し、ＣＳＩ信号のときは、被呼端末識別コードを解析してその内容を表示して処理を終了する（ステップＴ４）。
【００３１】
一方、テンキー入力でなくワンタッチキーや短縮キー入力の場合は、その入力された相手先名が登録されているかどうかをチェックし（ステップＴ５）、相手先が登録されていないときは、入力された電話番号を操作部５のディスプレイに表示するとともに、ＣＳＩ信号による被呼端末識別コードを解析してその内容を表示して処理を終了する（ステップＴ２〜Ｔ４）。相手先名が登録されているときは、通信モードが標準モードかどうかをチェックし（ステップＴ６）、標準モードのときは、同様に、入力された電話番号を操作部５のディスプレイに表示するとともに、ＣＳＩ信号による被呼端末識別コードを解析してその内容を表示して処理を終了する（ステップＴ２〜Ｔ４）。標準モードでないとき、すなわち、非標準モードのときは、ＮＳＦ信号を受信したかどうかをチェックし（ステップＴ７）、ＮＳＦ信号を受信しなかったときは、同様に、入力された電話番号を操作部５のディスプレイに表示するとともに、ＣＳＩ信号による被呼端末識別コードを解析してその内容を表示して処理を終了する（ステップＴ２〜Ｔ４）。ＮＳＦ信号を受信したときは、登録された相手先名とＮＳＦ信号を解析した内容を表示して処理を終了する（ステップＴ８、Ｔ９）。
【００３２】
図５各図は入力した宛先情報と相手先端末から受信した被呼端末識別情報とを操作部のディスプレイ上に対比表示した状態図であり、その（ａ）はＮＳＦ信号が解析できる場合の表示状態図、（ｂ）はＮＳＦ信号が解析できない場合の表示状態図である。図５（ａ）に示すように、非標準コード情報であるＮＳＦ信号を用いて通信する場合は、相手先名称等の文字情報を送ることができるため、例えば相手先を確認する場合は、会社名等で容易に比較することができる。また、図５（ｂ）に示すように、標準コード情報であるＣＳＩ信号を用いて通信する場合は、電話番号等の数字情報しか送れないため、電話番号を対比表示することにより相手先を確認する。
【００３３】
以上のように、ファクシミリ装置１の発呼通信手順に際して相手先の入力方法がテンキーによる直接電話番号入力、ワンタッチキーや短縮キーによる登録入力であっても、発呼した相手先端末から受信した標準及び非標準の被呼端末識別コードが解析されて相手先名あるいは電話番号ととともに表示されて発呼先の確認が促されるため、ユーザーは、発呼先を誤った相手先に原稿を送信してしまう前に送信を中断させたり、送信する相手先を訂正することが容易かつ確実にでき、機密原稿等を誤って送信してしまうという事態を確実に防止することができる。したがって、自動発呼時の送信成功率を向上させることができ、ファクシミリ装置１の操作性と信頼性を向上させることができる。
【００３４】
また、相手先確認機能をユーザーが必要に応じて選択することができるため、通常の定期的な自動発呼機能を利用した送信等の場合には、送信操作の手間を省くことができ、ファクシミリ装置１の操作性をより一層向上させることができる次に、本実施例では、ワンタッチナンバーや短縮ナンバーを用いて電話番号を入力する場合、上述したような相手先の確認とこれに対する送信許可は、１回目は誤入力の可能性があるので確認する必要があるが、２回目以降は同じことの繰り返しで無駄であって、オペレータの送信許可の負担を軽減する必要がある。以下、この通信処理について図６及び図７に示すフローチャートを参照して説明する。なお、図６及び図７に示すフローチャートでは、使用者が原稿をセットして操作を開始するところから、原稿を取って送信をキャンセルしたり、送信が成功して回線断するまでの過程を示したものである。
【００３５】
図６において、まず、ファクシミリ装置のユーザは、操作部５で相手先入力が行われる（ステップＥ１）。この相手先入力は、テンキーにより直接電話番号を入力する場合と、登録されたワンタッチナンバーあるいは短縮ナンバーによる場合とがある。
ワンタッチナンバーや短縮ナンバーにより相手先を入力する場合は、過去に相手先確認を行い、その送信が許可された履歴があるものであれば（ステップＥ２）、相手先確認機能を選択しない。また、ステップＥ２で、テンキーによる指定があったり、過去の履歴がない場合は、相手先確認機能を選択し（ステップＥ３）、この機能をオンするかどうかを使用者がキー入力によって選択する。この結果は、操作部５上のＬＥＤの点灯で表示してもよいし、ＲＡＭ４に記憶させてもよい。
【００３６】
そして、相手先が入力されてスタートキー等で送信開始が指示されると、ＮＣＵ９が外部に接続された回線を閉結して発呼の通信手順を開始し（ステップＥ４）、発呼した相手先端末からの応答を待つタイマーをチェックしながら相手先端末からのＣＥＤ信号（被呼局識別信号）とＣＥＤ信号に続くＤＩＳ信号（ディジタル識別信号）、ＣＳＩ信号（被呼端末識別信号）、ＮＳＦ信号（非標準機能識別信号）の受信を待つ（ステップＥ５、Ｅ６）。
【００３７】
次いで、これらの応答を受信すると、受信したＣＳＩ信号で示される被呼端末識別コードと入力された電話番号または相手先名を必要に応じて操作部５のディスプレイに表示してユーザーに発呼先の確認を促し（ステップＥ７）、ワンタッチ、短縮キーの指定があって、かつ、過去に送信が許可された履歴があるものであれば（ステップＥ８）、送信処理が開始される（ステップＥ１５〜Ｅ１７）。
【００３８】
また、ステップＥ８で、テンキーによる指定があったり、過去の履歴がない場合は、ステップＥ９で相手先確認機能をステップＥ３においてオンしているか否かをチェックし、オンされていたらオペレータが相手先に間違いがないことを確認した後、許可を示すキーが入力されるのを待つ（Ｅ１０〜Ｅ１２）。なお、ステップＥ１０におけるタイマーは、ステップＥ５のタイマーと同じものであり、ＣＣＩＴＴ（国際電信電話諮問委員会）勧告のＴ．３０に基づくＴ１タイム（３５±５ｓｅｃ）のことである。タイマーオーバーする前に相手方よりＤＣＮ信号を受信した場合は（ステップＥ１１）、ステップＥ１０でタイマーオーバーした場合と同じように図７の処理に移って回線切断処理を実行する（ステップＥ８）。
【００３９】
ステップＥ１１でＤＣＮ信号を受信せずに、送信が許可されると（ステップＥ１２）、ワンタッチナンバーや短縮ナンバーの指定があった場合は（ステップＥ１３）、当該ワンタッチナンバーや短縮ナンバーで送信許可が得られた旨の履歴をＲＡＭ４等に記憶させる（ステップＥ１４）。そして、セットされた原稿の画情報を読み取って相手先へ送信処理を行い（ステップＥ１５）、送信が成功した場合は（ステップＥ１６）、回線を切断して（ステップＥ１７）今回の処理を終了する。
【００４０】
また、ステップＥ９で相手先確認機能がオンにされなかったときは、送信許可を待たずして送信処理が行われる。
そして、タイマーオーバー（ステップＥ５，Ｅ１０）したり、送信が成功しなかった場合は（ステップＥ１６）、回線を切断する（ステップＥ１８）。また、確認済みの履歴のあるワンタッチ、短縮キーを指定した場合であれば（ステップＥ１９）、そのまま通常の再発呼動作を繰り返す（ステップＥ２２〜Ｅ２５）。
【００４１】
また、ステップＥ１９で履歴がない場合かテンキーにより指定された場合は、相手先確認機能がオンなのに（ステップＥ２０）、送信許可が出されない場合は（ステップＥ２１）、その事実と入力した電話番号か相手先名と、そしてＣＳＩ信号またはＮＳＦ（ＣＳＩ）信号を受信したときは、それらの内容をレポートに記入してプリントアウトする（ステップＥ２６）。
【００４２】
そして、送信機側では、ステップＥ２７でセットされた送信原稿が取り出されて送信がキャンセルされるのを監視し、原稿が取り出されない場合は、送信が許可されるまで待つ（ステップＥ２８）。ステップＥ２７で原稿が取り出された場合は、処理を終了し、ステップＥ２８で送信が許可されたら、発呼を行って一連の送信処理が行われる（ステップＥ２９〜Ｅ３３）。
【００４３】
なお、ステップＥ３１でＣＥＤ信号を受信できなかった場合は、ステップＥ３０からステップＥ１８に戻って回線切断処理を実行し、上述した処理が繰り返される。
以上のように、ファクシミリ装置１の発呼通信手順に際して相手先の入力方法がワンタッチキーや短縮キーによる場合は、以前に相手先を確認し、送信が許可された履歴をワンタッチキーや短縮キーに登録しておくことにより、ユーザーはワンタッチキーや短縮キーを使って発呼する際に一々送信許可する必要がなくなり、機密原稿等を誤って送信してしまうという誤送信を確実に防止しつつ、ファクシミリ装置の操作性をより一層向上させることができる。
【００４９】
本発明では、登録された宛先電話番号が間違っていても発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、本発明では、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
参考として、直接入力された宛先電話番号が間違っていても発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、参考として、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
さらに、参考として、登録された宛先名称と宛先端末から送信される端末識別情報が一致しなくても違いを発呼時に確認して訂正することができ、自動発呼時の送信成功率を向上させることができる。その結果、原稿の誤発信や誤発信による機密漏洩等を確実に防止することができ、ファクシミリ装置の操作性と信頼性を向上させることができる。また、参考として、ワンタッチナンバーや短縮ナンバーを使って２度目以降送信する場合は、送信許可が不要となり、誤発信の防止という本来の機能を損なうことなく、ファクシミリ装置の操作性と信頼性をより一層向上させることができる。
【図面の簡単な説明】
【図１】本願各発明によるファクシミリ装置のブロック図。
【図２】本願各発明によるファクシミリ装置での通信処理の一部を示すフローチャート。
【図３】図２の通信処理の続きを示すフローチャート。
【図４】本願各発明によるファクシミリ装置での相手先情報表示処理を示すフローチャート。
【図５】入力した宛先情報と相手先端末から受信した被呼端末識別情報とを操作部のディスプレイ上に対比表示した状態図。
【図６】本願各発明によるファクシミリ装置での通信処理の一部を示すフローチャート。
【図７】図６の通信処理の続きを示すフローチャート。
【符号の説明】
１    ファクシミリ装置
２    ＣＰＵ
３    ＲＯＭ
４    ＲＡＭ
５    操作部
６    スキャナ
７    プロッタ
８    モデム
９    ＮＣＵ
【図１】
0003568545.tif 000002
【図２】
0003568545.tif 000003
【図３】
0003568545.tif 000004
【図４】
0003568545.tif 000005
【図５】
0003568545.tif 000006
【図６】
0003568545.tif 000007
【図７】
0003568545.tif 000008